(57)【要約】【課題】点灯から消灯まであたかも普通のろうそくであるかのような取り扱いができるセンサー内蔵型電子キャンドルを提供する。【解決手段】磁石をセンサー内蔵型電子キャンドル１０の透孔１ａの近傍に近づけると、本体筒部１内の磁気センサー４が磁石の接近を検知し、ＬＥＤ２が点灯される。また、ＬＥＤ２の点灯後、音センサー３からの音検知信号の基準値との差または変化の大きさに応じてＬＥＤ２の発光パターンおよび発光強度が変化される。さらに、透孔１ａから強く息を吹き付けると、音センサー３からの所定レベル以上の音検知信号に基づいてＬＥＤ２が消灯される。【選択図】図１
2006351360.tif 000002
【特許請求の範囲】
【請求項１】
光源としての半導体発光素子と、
磁石の接近を検知する磁気センサーと、
前記磁気センサーからの磁石検知信号に基づいて前記半導体発光素子の駆動を開始する半導体発光素子制御手段と
を有することを特徴とするセンサー内蔵型電子キャンドル。
【請求項２】
光源としての半導体発光素子と、
磁石の接近を検知する磁気センサーと、
外部音を採音する音センサーと、
前記磁気センサーからの磁石検知信号に基づいて前記半導体発光素子の駆動を開始し、前記音センサーからの所定レベル以上の音検知信号に基づいて前記半導体発光素子の駆動を停止する半導体発光素子制御手段と
を有することを特徴とするセンサー内蔵型電子キャンドル。
【請求項３】
前記半導体発光素子制御手段が、前記音センサーからの所定レベル以下の音検知信号に応じて前記半導体発光素子の発光をゆらぎ制御する請求項１または２記載のセンサー内蔵型電子キャンドル。
【請求項４】
前記音センサーが本体筒部における前記半導体発光素子の下位に配設され、かつ前記音センサーの配置位置の近傍の前記本体筒部に透孔が穿設されており、前記半導体発光素子に向かって吹き付けた風や息を前記透孔を通じて前記音センサーが検知する請求項１ないし３のいずれか１項に記載のセンサー内蔵型電子キャンドル。
【請求項５】
充電池と、前記充電池の電圧を昇圧して前記半導体発光素子制御手段に給電する昇圧回路と、前記充電池への充電中に前記昇圧回路から前記半導体発光素子制御手段への給電をシャットダウンさせる充電回路とを含む請求項１ないし請求項４のいずれかの１項に記載のセンサー内蔵型電子キャンドル。
【発明の詳細な説明】
【技術分野】
【０００１】
本発明はセンサー内蔵型電子キャンドルに関し、特に発光ダイオード（ＬＥＤ：Light Emitting Diode）等の半導体発光素子でなる光源でろうそくの炎のゆらぎを模擬するセンサー内蔵型電子キャンドルに関する。
【背景技術】
【０００２】
従来技術として、電気的光源でろうそくの炎を模擬し、あたかもろうそくが点灯されているが如き発光を人工的に得るようにした光源駆動装置がすでに知られている（例えば、特許文献１参照）。
【特許文献１】特開平９−３２６２９９号公報（第４−５頁、図７）
【発明の開示】
【発明が解決しようとする課題】
【０００３】
しかしながら、従来技術では、電源コードを連ねてランプを設置したり、気の利いたものでもせいぜい手が触れると点灯したり、センサーで消灯したりと、ただのランプの域を出ていない、通常のろうそくとはおよそかけ離れたものばかりであった。
【０００４】
本発明の目的は、点灯から消灯まであたかも普通のろうそくであるかのような取り扱いができるセンサー内蔵型電子キャンドルを提供することにある。
【課題を解決するための手段および発明の効果】
【０００５】
請求項１記載のセンサー内蔵型電子キャンドルは、光源としての半導体発光素子と、磁石の接近を検知する磁気センサーと、前記磁気センサーからの磁石検知信号に基づいて前記半導体発光素子の駆動を開始する半導体発光素子制御手段とを有することを特徴とする。請求項１記載のセンサー内蔵型電子キャンドルによれば、磁石を接近させると、磁気センサーがこれを検出し、半導体発光素子が点灯する。これにより、マッチを模した磁石を、あたかも火をろうそくに近づけるようなやり方で、センサー内蔵型電子キャンドルを点灯させることができる。
【０００６】
請求項２記載のセンサー内蔵型電子キャンドルは、光源としての半導体発光素子と、磁石の接近を検知する磁気センサーと、外部音を採音する音センサーと、前記磁気センサーからの磁石検知信号に基づいて前記半導体発光素子の駆動を開始し、前記音センサーからの所定レベル以上の音検知信号に基づいて前記半導体発光素子の駆動を停止する半導体発光素子制御手段とを有することを特徴とする。請求項２記載のセンサー内蔵型電子キャンドルによれば、磁気センサーからの磁石検知信号に基づいて半導体発光素子の発光を開始し、音センサーからの所定レベル以上の音検知信号に基づいて半導体発光素子の発光を停止することができる。これにより、マッチを模した磁石を、あたかも火をろうそくに近づけるようなやり方で、センサー内蔵型電子キャンドルを点灯させることができるとともに、炎を吹き消すように、息を吹き付けるだけで、センサー内蔵型電子キャンドルを消灯させることができる。
【０００７】
請求項３記載のセンサー内蔵型電子キャンドルは、請求項１または請求項２記載のセンサー内蔵型電子キャンドルにおいて、前記半導体発光素子制御手段が、前記音センサーからの所定レベル以下の音検知信号に応じて前記半導体発光素子の発光をゆらぎ制御することを特徴とする。請求項３記載のセンサー内蔵型電子キャンドルによれば、音センサーからの所定レベル以下の音検知信号に応じて半導体発光素子の発光をゆらぎ制御することにより、自然なろうそくの炎の発光を模擬することができる。例えば、風が弱いときには光がかすかにゆらぎ、風が強いときには光が大きくゆらぐというような制御を行うことができる。また、炎に弱く息を吹きかけたときにも炎がゆらぐというような制御を行うことができる。
【０００８】
請求項４記載のセンサー内蔵型電子キャンドルは、請求項１ないし３のいずれか１項に記載のセンサー内蔵型電子キャンドルにおいて、前記音センサーが本体筒部における前記半導体発光素子の下位に配設され、かつ前記音センサーの配置位置の近傍の前記本体筒部に透孔が穿設されており、前記半導体発光素子に向かって吹き付けた風や息を前記透孔を通じて前記音センサーが検知することを特徴とする。請求項４記載のセンサー内蔵型電子キャンドルによれば、音センサーに通じる透孔を設けたことにより、弱い風や息でも検知することが可能になり、自然なろうそくの炎の特性をより良く模擬することが可能となる。
【０００９】
請求項５記載のセンサー内蔵型電子キャンドルは、請求項１ないし４記載のセンサー内蔵型電子キャンドルにおいて、充電池と、前記充電池の電圧を昇圧して前記半導体発光素子制御手段に給電する昇圧回路と、前記充電池への充電中に前記昇圧回路から前記半導体発光素子制御手段への給電をシャットダウンさせる充電回路とを含むことを特徴とする。請求項５記載のセンサー内蔵型電子キャンドルによれば、充電池を内蔵したことにより、手軽に持ち運べるという自然のろうそくと同じ特性を電子キャンドルで実現することができる。これにより、ユーザはセンサー内蔵型電子キャンドルを、配線を気にすることなくどこにでも持ち運んで使用することができる。また、充電池の充電中には、充電回路の昇圧動作が停止されるので、電力消費を低下させることができる。
【発明を実施するための最良の形態】
【００１０】
点灯から消灯まであたかも普通のろうそくであるかのような取り扱いができるという目的を達成するために、光源としての半導体発光素子と、磁石の接近を検知する磁気センサーと、外部音を採音する音センサーと、磁気センサーからの磁石検知信号に基づいて半導体発光素子の駆動を開始し、音センサーからの所定レベル以上の音検知信号に基づいて半導体発光素子の駆動を停止する半導体発光素子制御手段とを設けるようにした。
【実施例１】
【００１１】
次に、本発明の実施例１に係るセンサー内蔵型電子キャンドル１０について図面を用いて説明する。
【００１２】
図１は、本発明の実施例１に係るセンサー内蔵型電子キャンドル１０の構成を示す縦断面図である。図２は、センサー内蔵型電子キャンドル１０の斜視図である。図３は、センサー内蔵型電子キャンドル１０の拡大底面図である。
【００１３】
本実施例１に係るセンサー内蔵型電子キャンドル１０は、本体筒部１と、半導体発光素子としてのＬＥＤ２と、風や音を検知する音センサー３と、磁石５０（図５参照）の接近を検出する磁気センサー４と、ＬＥＤ２の発光を制御する制御基板５と、ＬＥＤ２，制御基板５等に電源を供給する充電池６と、本体筒部１の底面部に設けられたアダプタージャック７と、本体筒部１の底面開口を塞ぐ底蓋８とから構成されている。
【００１４】
本体筒部１は、透光性または半透光性を有するプラスチック等で有蓋の円筒体状に形成され、上部中程にＬＥＤ２を収納配設している。このため、ＬＥＤ２が点灯すると、ＬＥＤ２の発光を円筒体壁を通して視認することができる。
【００１５】
ＬＥＤ２は、電流に基づいて発光量を制御可能な半導体発光素子である。
【００１６】
音センサー３は、コンデンサマイクロフォンでなり、本体筒部１の中に組み込まれたＬＥＤ２の真下に配置されている。音センサー３に消費電力が非常に小さいコンデンサマイクロフォンを使用したことにより、充電池６だけでＬＥＤ２の起動の検知，発光パターンの制御などを行うことが可能になる。なお、従来の風センサーは、一般的に熱線式で、風センサーを加熱するために大きな電力が必要であった。
【００１７】
音センサー３の配設位置の周囲の本体筒部１には、複数（例えば４つ）の小さな透孔１ａがあけられている。このため、音センサー３は、本体筒部１の表面に当たった風が小さな透孔１ａを通して本体筒部１内で乱気流となって発生する音を検知することが可能となる。また、本体筒部１に当たった風の風速が本体筒部１の表面で変化することによる圧力変動を、小さな透孔１ａを通して本体筒部１の内部に伝達することができる。このため、ＬＥＤ２に向かって吹き付けた風や息に反応するようにして、自然のろうそくの炎に近い感じを出すことが可能になる。
【００１８】
磁気センサー４は、ホール素子等で形成されていて、本体筒部１内の音センサー３の直下に配設されている。
【００１９】
制御基板５は、フレキシブルプリント基板で形成されていて、本体筒部１内の中程に収納配設されている。制御基板５は、図４に示すような回路を搭載している。
【００２０】
充電池６は、ニッケル水素充電池等で形成されており、本体筒部１内の制御基板５の下位に配設されている。
【００２１】
アダプタージャック７は、家庭用電源に電源コードを接続された充電器（図示せず）からのプラグを挿入する端子である。
【００２２】
底蓋８は、図３に拡大して示すように、本体筒部１の下端開口に螺着できるようになった円盤体で形成されており、前記充電器（図示せず）からのプラグを挿入できるように中央部にアダプタージャック７が取り付けられている。また、ねじ回し，硬貨等の工具によって本体筒部１の下端開口部から取り外せるように、底蓋８の表面には溝８ａが切られている。
【００２３】
図４は、センサー内蔵型電子キャンドル１０の回路ブロック図である。この回路は、既述した制御基板５に搭載されている。詳しくは、制御基板５は、音センサー３からの音検知信号を入力するバンドパスフィルタ４１と、バンドパスフィルタ４１を透過した音検知信号を全波整流する全波整流器４２と、全波整流器４２で全波整流された音検知信号を入力するワンチップマイコン４３と、磁石５０（図５参照）の接近を検出してワンチップマイコン４３に出力する磁気センサー４と、ワンチップマイコン４３からの駆動制御信号に基づいてＬＥＤ２を電流駆動するＬＥＤドライバ４５と、充電回路４８から逆流阻止ダイオード４７を介して、または介することなしに接続され、バンドパスフィルタ４１，全波整流器４２，ワンチップマイコン４３およびＬＥＤドライバ４５に動作電圧を供給する昇圧回路４９とを含んで構成されている。
【００２４】
バンドパスフィルタ４１は、音センサー３で検出された音検知信号を通すことにより、検知された音や風の圧力変動から不必要な成分を除去することができる。これにより、ワンチップマイコン４３は、周囲の雑音などには反応しないようになり、自然な発光パターンの制御が表現できる。例えば、１０Ｈｚ〜１００Ｈｚ等のバンドパスフィルタ４１が使用される。
【００２５】
全波整流器４２は、バンドパスフィルタ４１から入力される音検知信号の電圧の、正負に関係なく正の絶対電圧を得る回路である。
【００２６】
ワンチップマイコン４３は、図示しないＣＰＵ（Central Processing Unit），ＲＯＭ（Read Only Memory），ＲＡＭ（Random Access Memory），Ｉ／Ｏ（Input/Output）等を含む周知のマイクロコンピュータで形成され、磁気センサー４からの磁石検知信号に基づいてＬＥＤ２の駆動をＬＥＤドライバ４５に開始させ、音センサー３からの所定レベル以上の音検知信号に基づいてＬＥＤ２の駆動を停止する半導体発光素子制御手段としての役目をする。また、音センサー３からの所定レベル以下の音検知信号に応じてＬＥＤ２の発光をＬＥＤドライバ４５にゆらぎ制御させる半導体発光素子制御手段としての役目をする。
【００２７】
ＬＥＤドライバ４５は、ＬＥＤ２を電流駆動して発光させる。
【００２８】
充電回路４８は、アダプタージャック７を通じて充電器（図示せず）から供給される充電電流を逆流阻止ダイオード４７を介して充電池６に供給することにより、充電池６を充電する。なお、充電池６の充電中には、電力消費を低下させるために、充電回路４８は、シャットダウン信号を昇圧回路４９に出力して昇圧動作を停止させる。なお、通常は充電回路４８の電圧の方が充電池６の電圧より高いが、万が一に充電池６から充電回路４８に電流が逆流するのを防止するために逆流阻止ダイオード４７が設けられている。
【００２９】
昇圧回路４９は、充電池６の電圧を昇圧して、バンドパスフィルタ４１，全波整流器４２，ワンチップマイコン４３およびＬＥＤドライバ４５に動作電圧を供給する。
【００３０】
図５（ａ）および（ｂ）は、センサー内蔵型電子キャンドル１０の使用状態を説明する斜視図である。図５（ａ）および（ｂ）中に示すように、本体筒部１の下端部に附属品である設置型ホルダー６０を取り付けることにより、センサー内蔵型電子キャンドル１０を机等の上に設置することができる。また、図示しない壁掛け型のホルダーを使用することにより、センサー内蔵型電子キャンドル１０を壁に掛けて使用することもできる。
【００３１】
次に、このように構成された実施例１に係るセンサー内蔵型電子キャンドル１０の動作について説明する。
【００３２】
ユーザが、図５（ａ）に示すように、自然なろうそくの点火を模倣して、例えばマッチ形状の磁石５０をセンサー内蔵型電子キャンドル１０の透孔１ａの近傍に近づけると、磁気センサー４が磁石５０の接近を検知し、磁石検知信号をワンチップマイコン４３に入力する。
【００３３】
ワンチップマイコン４３は、磁石検知信号を入力すると、ＬＥＤドライバ４５を駆動してＬＥＤ２に通電し、図５（ｂ）に示すように、ＬＥＤ２を点灯させる。ＬＥＤ２が点灯すると、その光があたかもろうそくの炎のように透光性または半透光性を有する本体筒部１上に映し出される。
【００３４】
ＬＥＤ２の点灯後、音センサー３からの音検知信号がバンドパスフィルタ４１を通して全波整流器４２で全波整流されてワンチップマイコン４３に入力されるので、ワンチップマイコン４３は、入力された音検知信号と基準値との差または音検知信号の変化の大きさに応じてＬＥＤドライバ４５を制御し、ＬＥＤ２の発光パターンおよび発光強度を変化させる。これにより、ＬＥＤ２は、擬似的な１／ｆゆらぎパターンを用いた発光パターンおよび発光強度で発光を制御される。例えば、透孔１ａから音センサー３がわずかな空気の流れを検知すると、ＬＥＤ２の発光輝度が変化し、あたかも炎がゆらいでいるような状態を演出することができ、視覚効果が高まる。
【００３５】
最後に、ユーザが、自然なろうそくの消灯を模倣して、例えば透孔１ａに強く息を吹き付けると、音センサー３からの所定レベル以上の音検知信号がバンドパスフィルタ４１を通して全波整流器４２で全波整流されてワンチップマイコン４３に入力されるので、ワンチップマイコン４３は、入力された音検知信号と基準値との差または音検知信号の変化の大きさに応じてＬＥＤドライバ４５を制御し、ＬＥＤ２を消灯させることができる。
【００３６】
実施例１によれば、センサー内蔵型電子キャンドル１０を点灯から消灯まであたかも普通のろうそくのように使用することができ、内部のＬＥＤ２が点灯して光が浮かび上がったときと、その光がゆらいだときと、その光が消えたときとでは、雰囲気が大きく変化する。このため、心を癒されるような自然なろうそくの炎のゆらぎと同じ光のゆらぎを得ることができ、他に追随を許さない電子キャンドルを得ることができる。また、火による燃焼を伴わないので、安全かつ経済的に使用することができる電子キャンドルを得ることができる。
【００３７】
以上、本発明の実施例１を説明したが、これはあくまでも例示にすぎず、本発明はこれに限定されるものではなく、特許請求の範囲の趣旨を逸脱しない限りにおいて、当業者の知識に基づく種々の変更が可能である。
【００３８】
例えば、実施例１では、半導体発光素子としてＬＥＤ２を使用するようにしたが、半導体レーザー等の他の種類の半導体発光素子を使用することもできる。また、本体筒部を円筒体としたが、角筒体，球体，多面体等の他の形状とすることもできる。
【図面の簡単な説明】
【００３９】
【図１】本発明の実施例１に係るセンサー内蔵型電子キャンドルの縦断面図。
【図２】図１のセンサー内蔵型電子キャンドルの斜視図。
【図３】図１のセンサー内蔵型電子キャンドルの拡大底面面。
【図４】図１のセンサー内蔵型電子キャンドルの回路ブロック図。
【図５】図１のセンサー内蔵型電子キャンドルは使用状態説明図であり、（ａ）はセンサー内蔵型電子キャンドルを点灯する図、（ｂ）は点灯したセンサー内蔵型電子キャンドルを図示する図。
【符号の説明】
【００４０】
１  本体筒部
２  発光ダイオード
３  音センサー
４  磁気センサー
５  制御基板
６  充電池
７  アダプタージャック
８  底蓋
１０  センサー内蔵型電子キャンドル
４１  バンドパスフィルタ
４２  全波整流器
４３  ワンチップマイコン
４４  磁気センサー
４５  ＬＥＤドライバ
４７  逆流阻止ダイオード
４８  充電回路
４９  昇圧回路
【図１】
2006351360.tif 000003
【図２】
2006351360.tif 000004
【図３】
2006351360.tif 000005
【図４】
2006351360.tif 000006
【図５】
2006351360.tif 000007